(57)【要約】【課題】荷箱において、簡単かつ安全に上部サイドゲートを回動できるようにする。【解決手段】一対の側壁１３を有し、上方が開放された直方体状の荷箱１０において、これら一対の側壁１３の上端に板状の上部サイドゲート２０を設ける。上部サイドゲート２０は、前後方向に伸びる回動軸２１を中心に回動可能にそれぞれ支持され、起立した状態で側壁１３と協働して側壁１３単独よりも背の高くなる嵩上げ側壁３０を形成する。そして、回動軸２１を背面視で側壁１３の車幅方向外面よりも車幅方向内側に回動中心が位置するように配置し、又は、回動軸２１を強制的に回動可能な電動モータ２２を設ける。【選択図】図１
2018165097.tif 000002
【特許請求の範囲】
【請求項１】
側壁を有し、上方が開放された直方体状の荷箱において、
上記側壁の上端に、前後方向に伸びる回動軸を中心に回動可能にそれぞれ支持され、起立した状態で上記側壁と協働して該側壁単独よりも背の高くなる嵩上げ側壁を形成する板状の上部サイドゲートを備え、
上記回動軸は、背面視で上記側壁の車幅方向外面よりも車幅方向内側に回動中心が位置している
ことを特徴とする荷箱。
【請求項２】
側壁を有し、上方が開放された直方体状の荷箱において、
上記側壁の上端に、前後方向に伸びる回動軸を中心に回動可能にそれぞれ支持され、起立した状態で上記側壁と協働して該側壁単独よりも背の高くなる嵩上げ側壁を形成する板状の上部サイドゲートと、
上記回動軸を強制的に回動可能な電動機とを備えている
ことを特徴とする荷箱。
【請求項３】
請求項１に記載の荷箱において、
上記回動軸は、電動機により強制的に回動可能に構成されている
ことを特徴とする荷箱。
【請求項４】
請求項１から３のいずれか１つに記載の荷箱において、
上記上部サイドゲートを起立させた状態で、該上部サイドゲートの内面と、上記側壁の内面とが、略面一に配置されている
ことを特徴とする荷箱。
【請求項５】
請求項１から４のいずれか１つに記載の荷箱において、
上記側壁の上端には、補強部材が前後に延びるように設けられており、
上記補強部材は、車幅方向外側の角部における上記上部サイドゲートの回動範囲が面取りされている
ことを特徴とする荷箱。
【請求項６】
請求項１から５のいずれか１つに記載の荷箱を備えた
ことを特徴とするダンプトラック。
【発明の詳細な説明】
【技術分野】
【０００１】
本発明は、ダンプトラックなどの車両に搭載される荷箱に関し、特にその嵩を増すためのサイドゲートに関する。また、そのような荷箱を備えたダンプトラックに関する。
【背景技術】
【０００２】
従来より、この種の荷箱は、容量を増やしたいという要求と、積み降ろしを容易にしたいという要求との両方がある。すなわち、荷箱の側壁を高くすれば容量を増やすことができるが、そうすると、車両側方からの積み降ろしの作業性が悪化する。
【０００３】
そこで、例えば、特許文献１のように、床板の側端に下部サイドゲートを固着し、その上端に上部サイドゲートを開閉自在に枢着してなるダンプトラック等に搭載される荷箱が知られている。このような荷箱は、図８及び図９に示すように、下部サイドゲート（側壁）１１３の上端に設けた蝶番１２０ａで上部サイドゲート１２０を車幅方向外側へ回動できるように連結している。また、上部サイドゲート１２０は、荷箱１１０の前壁１１１及び後壁１１２に対してロックハンドル１１６を回動させて固定するようにしている。
【先行技術文献】
【特許文献】
【０００４】
【特許文献１】実開昭６３−４１２７０号公報
【発明の概要】
【発明が解決しようとする課題】
【０００５】
しかしながら、従来のような荷箱１１０では、その高さが高くなるほど重量も重くなり、ロックハンドル１１６を解除して上部サイドゲート１２０を安全に開く作業の煩雑性も増してしまう。
【０００６】
また、重量が増えるほど車幅制限から車幅増加を抑えるためにサイズの小さな蝶番１２０ａを多数設けて上部サイドゲート１２０を支持しなければならず、部品点数が多い上、耐荷重性に限界がある。
【０００７】
さらに、蝶番１２０ａを用いた構成では、上部サイドゲート１２０と下部サイドゲート１１３の車両幅方向において外表面同士が揃うように配置される。そこで、土砂排出時に土砂詰まり等のないように、荷箱の内表面の凹凸をできるだけ少なくするために、上部サイドゲート１２０と下部サイドゲート１１３の両方の厚みを同程度にする必要があり、必然的に軽量化も困難となる。したがって、高位置にある上部サイドゲート１２０の開閉作業の困難性もさらに増してしまう。
【０００８】
なお、シート状の天蓋を側壁の上端に回動可能に設けて荷箱の天面を押さえて飛散防止をするものも知られているが、この天蓋はあくまで飛散防止のための、強度が弱い構造であり、荷箱の嵩を増やして容量を増やすことはできない。
【０００９】
本発明は、かかる点に鑑みてなされたものであり、その目的とするところは、簡単かつ安全に上部サイドゲートを回動できるようにすることにある。
【課題を解決するための手段】
【００１０】
上記の目的を達成するために、第１の発明では、側壁を有し、上方が開放された直方体状の荷箱を前提とし、
上記荷箱は、
上記側壁の上端に、前後方向に伸びる回動軸を中心に回動可能にそれぞれ支持され、起立した状態で上記側壁と協働して該側壁単独よりも背の高くなる嵩上げ側壁を形成する板状の上部サイドゲートを備え、
上記回動軸は、背面視で上記側壁の車幅方向外面よりも車幅方向内側に回動中心が位置している。
【００１１】
上記の構成によると、シート状ではなく板状の、剛性の高い上部サイドゲートを側壁の上部に立てることができるので、荷箱の最大容量を増やすことができる。また、回動軸の回動中心を側壁の外面よりも車幅方向内側に配置したので、回動軸による車幅方向外側への寸法増加を抑制できる。また、外面位置が一致する従来の蝶番構造のように、車幅方向内側の面を側壁内面と揃えるためだけに、上部サイドゲートの厚さを稼ぐ必要がなく、必要最低限の厚さで軽量なものとすることができるので、上部サイドゲートの開閉に要する動力を軽減できる。
【００１２】
第２の発明では、側壁を有し、上方が開放された直方体状の荷箱を前提とし、
上記荷箱は、
上記側壁の上端に、前後方向に伸びる回動軸を中心に回動可能にそれぞれ支持され、起立した状態で上記側壁と協働して該側壁単独よりも背の高くなる嵩上げ側壁を形成する板状の上部サイドゲートと、
上記回動軸を強制的に回動可能な電動機とを備えている。
【００１３】
上記の構成によると、シート状ではなく板状の、剛性の高い上部サイドゲートを側壁の上部に立てることができるので、荷箱の最大容量を増やすことができる。また、電動機によって上部サイドゲートを強制的に回動させることができるので、手動で回動させる場合に比べて極めて安全かつ容易に開閉作業をすることができる。なお、ここに記す「強制的に」は、電動機の駆動指令に基づいて上部サイドゲートの自重に抗して上側に回動させること、及び電動機の駆動力を受けて上部サイドゲートを下方に回動させつつも、上部サイドゲートの重力に基づく付勢力を規制しながら所望速度での作動とすることを指している。
【００１４】
第３の発明では、第１の発明において、
上記回動軸は、電動機により強制的に回動可能に構成されている。
【００１５】
上記の構成によると、電動機によって上部サイドゲートを強制的に回動させることができるので、手動で回動させる場合に比べて極めて安全かつ容易に開閉作業をすることができる。また、回動軸の回動中心が側壁の車幅方向外面よりも車幅方向内側に位置しているので、その回動軸に連結される電動機を車幅方向へできるだけ飛び出さないように設けることができる。
【００１６】
第４の発明では、第１から第３のいずれか１つの発明において、
上記上部サイドゲートを起立させた状態で、該上部サイドゲートの内面と、上記側壁の内面とが、略面一に配置されている。
【００１７】
上記の構成によると、荷箱内面を略面一にすることで、荷箱内の廃材等の積載物が上部サイドゲート下端と側壁上端との間に溜まりにくいので、積載物の積み降ろしが容易となる。なお、「略面一」とは、上部サイドゲートの内面と側壁の内面とが完全に同じ平面上にある必要はなく、積載物の積み降ろしを阻害しない程度に多少車幅方向内側か外側にずれていても良いことを意味する。
【００１８】
第５の発明では、第１から第４のいずれか１つの発明において、
上記側壁の上端には、補強部材が前後に延びるように設けられており、
上記補強部材は、車幅方向外側の角部における上記上部サイドゲートの回動範囲が面取りされている。
【００１９】
すなわち、回動軸の回動中心を側壁の外面よりも車幅方向内側に配置することで、上部サイドゲートを開いたときに干渉しやすくなるが、上記の構成によると、面取りが干渉を防ぐので、側壁上端と接触しにくくなる。このため、上部サイドゲートの回動範囲をできるだけ広くすることができ、車幅方向外側からの積載物の積み降ろしが容易になる。
【００２０】
第６の発明のダンプトラックは、第１から第５のいずれか１つの発明の荷箱を備えている。
【００２１】
上記の構成によると、容量が多くとれ、安全に開閉できる上部サイドゲートを有する商品性の高いダンプトラックが得られる。
【発明の効果】
【００２２】
以上説明したように、本発明によれば、板状の上部サイドゲートを回動可能に側壁上に支持する回動軸を、背面視で側壁の車幅方向外面よりも車幅方向内側に回動中心が位置するように配置した。また、上記回動軸を電動機で強制的に回動可能とした。これらの発明によると、簡単かつ安全に上部サイドゲートを回動させることができる。
【図面の簡単な説明】
【００２３】
【図１】本発明の実施形態に係る起立した状態の上部サイドゲート及びその周辺を示す側面図である。
【図２】本発明の実施形態に係るダンプトラックを示す側面図である。
【図３】ダンプトラックを示す平面図である。
【図４】ダンプトラックを示す背面図である。
【図５】上部サイドゲート及びその周辺を拡大して示す背面図である。
【図６】電動モータ及びその周辺を拡大して示す平面図である。
【図７】回動軸及びその周辺を拡大して示す背面図である。
【図８】従来技術に係る荷箱を示す側面図である。
【図９】従来技術に係る荷箱の蝶番及びその周辺を拡大して示す断面図である。
【発明を実施するための形態】
【００２４】
以下、本発明の実施形態を図面に基づいて説明する。
【００２５】
図２〜図４は本発明の実施形態に係る荷箱１０を備えたダンプトラック１を示し、このダンプトラック１は、図示しないエンジン等を駆動することにより走行可能なシャシ２と、運転室３とを備えている。このダンプトラック１は、上方が開放された直方体状の荷箱１０を、シャシ２のサブフレーム２ａの後端の支持軸２ｂを中心に傾動可能に支持している。
【００２６】
荷箱１０は前壁１１ａを有して略垂直に延びる箱状の前固定柱１１と、テールゲート１２ａを有して略垂直に延びる箱状の後固定柱１２と、一対の側壁１３と、略平坦な板状の底壁１４と、この底壁１４を補強する前後に延びる下桁１５とを有する。下桁１５の後端がサブフレーム２ａの後端の支持軸２ｂに係合可能に支持され、図示しない傾動シリンダ等により、図２で２点鎖線で示すように、荷箱１０が傾動されるようになっている。図４に示すように、テールゲート１２ａは、左右方向の観音開き型となっているが、水平に延びる軸を中心に上下方向に回動可能としても良い。
【００２７】
本実施形態では、図５に示すように、一対の側壁１３は、底壁１４に溶接等により固定されている（なお、この側壁１３は、固定されているものの、特許文献１のように下部サイドゲートと呼ぶこともある）。図１にも示すように、側壁１３は、前後や上下に延びる角型鋼管等よりなるスチフナ１３ａにより適度に補強されている。
【００２８】
図７に拡大して示すように、側壁１３の上端は、車幅方向外側かつ上側の角部が面取りされた傾斜面１３ｂを有する、前後に延びる補強部材１３ｃが設けられている。この補強部材１３ｃには、所定の間隔を空けて下側ボス部１３ｄ（図１に示す）が固定されている。なお、補強部材１３ｃの上面には、丸鋼１３ｅも溶接されている。
【００２９】
そして、側壁１３の上端には、板状の上部サイドゲート２０が回動可能に支持されている。この上部サイドゲート２０は、シート状の天蓋とは異なり、鋼板、角型鋼管等の溶接構造物で本体が形成されており、その高さは前固定柱１１及び後固定柱１２を超えない程度となっている。図１にも示すように、上部サイドゲート２０の下端には、複数の上側ボス部２０ａが形成されており、重量が重くなりすぎない程度に、角型鋼管２０ｂなどで補強されている。図７にも示すように、上側ボス部２０ａは、左右方向及び上下方向に伸びる補強リブ２０ｃが溶接されて補強されている。これら上側ボス部２０ａ及び下側ボス部１３ｄに前後方向に伸びる回動軸２１が挿通されている。なお、下側ボス部には、適宜グリースニップル１３ｆが設けられており、グリースを補給して回動軸２１の回動抵抗を低減できるようにしている。また、回動軸２１の電動モータ２２側（前側）部分は、前壁１１ａに設けた支持ブラケット１１ｃによって回動可能に支持されている。回動軸２１は、電動機としての電動モータ２２により強制的に回動可能となっている。図６に示すように、この電動モータ２２は、モータ本体２２ａと、このモータ本体２２ａの出力軸に連結された減速機２２ｂとを有し、この減速機２２ｂの出力軸２２ｃが回動軸２１と回転一体に連結されている。電動モータ２２は、前壁１１ａに設けたモータ取付用ブラケット１１ｂによって運転室３との間のスペースにおいて支持されている。電動モータ２２は、その車幅方向外側への突出量が最小限に抑えられている。
【００３０】
図１に示すように、上部サイドゲート２０の前後の角部には、ロックプレート２０ｄが設けられている。このロックプレート２０ｄを前壁１１ａ及び後壁１２にそれぞれ設けたロックレバー１６で挟み込むことで、上部サイドゲート２０を手動でロックできるようになっている。なお、このロックレバー１６は、手動ではなく、油圧、電動などで自動で動くようにしても良い。
【００３１】
このように、上部サイドゲート２０は、回動軸２１を中心に回動可能に支持され、起立した状態で側壁１３と協働して、側壁１３単独よりも背の高くなる嵩上げ側壁３０を形成する役割を果たす。すなわち、上部サイドゲート２０を起立させることで、側壁３０は側壁１３，２０の２枚を加えた高さを確保できる。
【００３２】
図７に拡大して示すように、回動軸２１は、背面から見たときに、側壁１３の車幅方向外面よりも車幅方向内側に回動中心Ｏが位置している。そして、上部サイドゲート２０を起立させた状態で、この上部サイドゲート２０の内面と、側壁１３の内面とが、略面一に配置されている。なお、図７を見てもわかるように、上部サイドゲート２０は、鋼板１枚程度車幅方向外側にずれているが、補強部材１３ｃの車幅方向内側の角部は、Ｒ曲げ１３ｇが施されているので、塵芥などが引っ掛かりにくくなっている。
【００３３】
そして、側壁１３の上端に設けた補強部材１３ｃの車幅方向外側の角部における上部サイドゲート２０の回動範囲が面取りされて傾斜面１３ｂが形成されている。この傾斜面１３ｂの角度は、図５に２点鎖線で示すように、上部サイドゲート２０が最も車幅方向外側に開いたときに補強リブ２０ｃが接触しないような角度に設定されている。
【００３４】
このように構成したことにより、本実施形態では、シート状ではなく板状の、剛性の高い上部サイドゲート２０を側壁１３の上部に立てることができるので、荷箱１０の最大容量を増やすことができる。
【００３５】
また、回動軸２１の回動中心Ｏを側壁１３の外面よりも車幅方向内側に配置したので、回動軸２１による車幅方向外側への寸法増加を抑制できる。
【００３６】
また、従来の蝶番構造のように、車幅方向内側の面を側壁１３内面と揃えるためだけに、上部サイドゲート２０の厚さを厚くする必要がなく、必要最低限の厚さで軽量なものとすることができる。
【００３７】
また、電動モータ２２によって上部サイドゲート２０を強制的に回動させることができるので、手動で回動させる場合に比べて極めて安全かつ容易に開閉作業をすることができる。
【００３８】
また、荷箱１０の内面を略面一にすることで、積載物が上部サイドゲート２０下端と側壁１３上端との間に溜まりにくいので、積載物の積み降ろしが容易となる。
【００３９】
また、回動軸２１の回動中心Ｏを側壁１３の外面よりも車幅方向内側に配置したが、上部サイドゲート２０を開いたときに、面取りが施されているので側壁１３上端が邪魔にならない。このため、上部サイドゲート２０の回動範囲を広く、具体的には回動角度が大きくなって上部サイドゲート２０が鉛直方向に沿った下垂状態に近づけることができ、車幅方向外側からの積載物の積み降ろしが容易になる。また、手作業による上部サイドゲート２０の開閉が不要となるので、回動軸２１を高位置に設けて上部サイドゲート２０の高さを低くし、その回動半径を小さくして車両周辺スペースに与える影響を小さくすることや、回動軸２１を低位置に設けて側壁１３の高さを低くし、外側からの積載物を積みおろしするための開放領域を大きく設定することもできる。
【００４０】
したがって、本実施形態に係る荷箱によると、簡単かつ安全に上部サイドゲート２０を回動させることができる。また、容量が多くとれ、安全に開閉できる上部サイドゲート２０を有する商品性の高いダンプトラック１が得られる。
【００４１】
（その他の実施形態）
本発明は、上記実施形態について、以下のような構成としても良い。
【００４２】
すなわち、上記実施形態では、荷箱をダンプトラック１に傾動可能に搭載する例について説明したが、所謂、脱着車両車やトレーラーなどの車両に搭載しても良い。
【００４３】
なお、以上の実施形態は、本質的に好ましい例示であって、本発明、その適用物や用途の範囲を制限することを意図するものではない。
【符号の説明】
【００４４】
１      ダンプトラック
２      シャシ
２ａ    サイドフレーム
２ｂ    支持軸
３      運転室
１０      荷箱
１１      前固定柱
１１ａ    前壁
１１ｂ    モータ取付用ブラケット
１１ｃ    支持ブラケット
１２      後壁
１２ａ    テールゲート
１３      側壁
１３ａ    スチフナ
１３ｂ    傾斜面
１３ｃ    補強部材
１３ｄ    下側ボス部
１３ｅ    丸鋼
１３ｆ    グリースニップル
１３ｇ    Ｒ曲げ
１４      底壁
１５      下桁
１６      ロックレバー
２０      上部サイドゲート
２０ａ    上側ボス部
２０ｂ    角型鋼管
２０ｃ    補強リブ
２０ｄ    ロックプレート
２１      回動軸
２２      電動モータ（電動機）
２２ａ    モータ本体
２２ｂ    減速機
２２ｃ    出力軸
３０      側壁
【図１】
2018165097.tif 000003
【図２】
2018165097.tif 000004
【図３】
2018165097.tif 000005
【図４】
2018165097.tif 000006
【図５】
2018165097.tif 000007
【図６】
2018165097.tif 000008
【図７】
2018165097.tif 000009
【図８】
2018165097.tif 000010
【図９】
2018165097.tif 000011